(57)【特許請求の範囲】
【請求項１】
表示装置側に設けられるＨＤＭＩ出力時の解像度切換え手段であって、
記録媒体に記憶されたデータを記録及び／又は再生する記録再生装置と接続する入力信号インターフェイスと、表示装置側の解像度情報記録領域に複数記録され、表示装置側のモニタに表示された複数の解像度情報のうちの特定の解像度情報を選択するキー入力部と、
前記キー入力部により選択された特定の解像度情報に解像度情報を書き換えて格納する解像度情報記録領域を有する記憶部と、前記入力信号インターフェイスと前記記憶部の動作を制御する制御部と、を備え、
前記制御部は、前記選択され、前記解像度情報記録領域に格納された特定の解像度情報を前記記録再生装置に送信し、前記記録再生装置から前記特定の解像度情報に対応したＨＤＭＩ信号を前記入力信号インターフェイスを介して受信することを特徴とするＨＤＭＩ出力時の解像度切換え手段。
【請求項２】
請求項１に記載のＨＤＭＩ出力時の解像度切換え手段において、前記表示装置がテレビ機器であり、記録媒体に記憶されたデータが画像情報であることを特徴とするＨＤＭＩ出力時の解像度切換え手段。
【請求項３】
ＨＤＭＩ出力時の解像度切換え手段を備えた表示装置であって、
記録媒体に記憶されたデータを記録及び／又は再生する記録再生装置と接続する入力信号インターフェイスと、表示装置側の解像度情報記録領域に複数記録され、表示装置側のモニタに表示された複数の解像度情報のうちの特定の解像度情報を選択するキー入力部と、
キー入力部により選択された特定の解像度情報に解像度情報を書き換えて格納する解像度情報記録領域を有する記憶部と、前記入力インターフェイスを介して入力された前記記録再生装置からのＨＤＭＩ信号を表示する表示部と、前記入力信号インターフェイス、前記記憶部、及び前記表示部の動作を制御する制御部と、を備え、
前記制御部は、前記選択され、前記解像度情報記録領域に格納された特定の解像度情報を前記記録再生装置に送信し、前記記録再生装置から前記特定の解像度情報に対応したＨＤＭＩ信号を前記入力信号インターフェイスを介して受信して、表示装置の前記表示部に表示することを特徴とするＨＤＭＩ出力時の解像度切換え手段を備えた表示装置。
【請求項４】
前記表示装置がテレビ機器であり、前記記録媒体に記憶されたデータが画像情報であることを特徴とする請求項３記載の表示装置。
【発明の詳細な説明】
【技術分野】
【０００１】
本発明は、ＨＤＭＩ（High Definition Multimedia Interface）出力時の解像度切換え手段に関する。
【背景技術】
【０００２】
特許文献１には、モニタ等の表示装置をＤＶＤ（Digital Versatile Disc）再生装置等の画像出力装置に接続する度に、表示装置における画像情報の表示条件の設定を的確に行うことができる画像出力装置が記載されている。特許文献１記載のＤＶＤ再生装置では、ＨＤＭＩ入力端子を持つモニタ（テレビ）機器から表示条件を示す情報である条件情報を予め取得するＣＰＵと、ＨＤＭＩ入力端子を持つモニタ（テレビ）機器に出力する画像情報を取得した条件情報に基づいて変換する情報変換部と、情報変換部により変換された画像情報である変換済画像情報を、ＨＤＭＩ入力端子を持つモニタ（テレビ）機器に出力するＨＤＭＩ送信部とを備え、ＤＶＤ記録媒体から取得した画像情報を変換して当該ＤＶＤ再生装置に接続されたＨＤＭＩ入力端子を持つモニタ（テレビ）機器に出力している。
【０００３】
ＨＤＭＩ接続し出力する時の解像度は、テレビ機器側に受信できる（映像を表示できる）解像度情報がＥＤＩＤ（Extended Display Identification Data）といわれる記録領域（ＥＤＩＤには、たとえば、１０８０ｉ、７２０ｐ、４８０ｐ、４８０ｉなどの解像度情報、アスペクト比情報、種々の表示条件情報等があり、他にも種々のテレビ機器側の情報が記載してある）に複数記録してある。
【０００４】
通常、送信機器側のＨＤＭＩ機器は、その解像度情報を読み取り、ＨＤＭＩ入力端子を持つ受信側（例えばテレビ機器）が対応できる解像度を複数もつ場合は送信機側の設定メニューにより選択項目として表示し、送信機側のユーザー操作にて解像度を選択させている。
【特許文献１】特開２００５−１０９７０３号公報
【発明の開示】
【発明が解決しようとする課題】
【０００５】
従来、ＨＤＭＩ出力での解像度切換えを行うとき、例えば、ＤＶＤプレーヤー等の機器設定を変更して切換えを行う必要がある、（例えば、上記特許文献１の場合はＤＶＤ記録媒体から取得した画像情報を、ＨＤＭＩ入力端子を持つモニタ（テレビ）機器から取得した条件情報に基づいて画像変換してＨＤＭＩ入力端子を持つモニタ（テレビ）機器に出力する）。しかし、ＤＶＤプレーヤー等の接続機器の違いにより、解像度を切換える操作方法が違うため複雑となり目的の解像度とするには切換え方法が難しいという問題点があった。
【０００６】
本発明は、ＨＤＭＩ入力端子を持つテレビ機器（モニターを含む表示装置）に外部機器（ＤＶＤプレーヤー等）を接続して視聴する場合に、ＨＤＭＩ入力端子を持つテレビ機器側の操作により、切換えを行いたい解像度に変更できるようにすることを目的とする。
【課題を解決するための手段】
【０００７】
本発明では、ＨＤＭＩ入力端子を持つテレビ機器側に複数記録してある解像度情報を変更する手段として、ＨＤＭＩ入力端子を持つテレビ機器側のユーザー選択により解像度情報を複数記録することをしないで、切換えたい解像度情報にあらかじめ切換えて記録しておき、ＨＤＭＩ入力端子を持つ受信機側では、例えば、ＨＤＭＩ入力端子を持つテレビ機器側に記録してある解像度情報を読み取ったときに、対応できる解像度は「１つ」だけと認識させて、ＨＤＭＩ入力端子を持つテレビ機器側のユーザー操作による解像度切換えを可能とする。
【発明の効果】
【０００８】
本発明によれば、ＨＤＭＩ入力端子を持つテレビ機器（モニターを含む表示装置）に外部機器（ＤＶＤプレーヤー等）を接続して視聴する場合に、送信機器側の機器（たとえばＤＶＤ）で操作方法が違う（機種・メーカー名）ために、そのつど複雑なメニュー操作を行わなくても、ＨＤＭＩ入力端子を持つテレビ機器側の操作により、切換えを行いたい解像度に変更できる。
【発明を実施するための最良の形態】
【０００９】
以下、図面を用いて、本発明の実施の形態について説明する。
【００１０】
図１に、ＨＤＭＩ送信機と本発明の解像度切換え手段を備えたテレビ受信機の接続の概要を示す。図１において、ＨＤＭＩ送信機１とテレビ受信機２が、ＨＤＭＩケーブル３を介して接続される。ＨＤＭＩ送信機１とＨＤＭＩケーブル３は、ＨＤＭＩコネクタ４により、また、テレビ受信機２とＨＤＭＩケーブル３は、ＨＤＭＩコネクタ５により接続される。
【００１１】
ＨＤＭＩ送信機１は、映像処理部６とＣＰＵ７を備えており、映像処理部６がデジタル信号（映像、音声）１３を、ＨＤＭＩケーブル３を介してテレビ受像機２に転送する。ＨＤＭＩ送信機１のＣＰＵ７は、テレビ受信機２から送られてきた解像度情報（ＥＤＩＤ情報）に基づいて、映像処理部６によるデジタル信号（映像、音声）１３の転送を制御する。
【００１２】
テレビ受信機２は、映像処理部８、表示部９、ＣＰＵ１０、ＥＤＩＤ１１、ＯＳＤ（On Screen Display）コントローラ１２を備えており、テレビ受信機２の映像処理部８は、ＨＤＭＩケーブル３を介して転送されたデジタル信号（映像、音声）１３の信号処理を行って、表示部（モニタ）９に表示する。
【００１３】
テレビ受信機２のＣＰＵ１０は、表示部（モニタ）への映像表示を調整するＯＳＤ（On Screen Display）コントローラ１２の動作を制御し、ＥＤＩＤ１１に格納された解像度情報等のＥＤＩＤ情報１４のＨＤＭＩ送信機１への転送を制御する。
【実施例１】
【００１４】
図２は、テレビ受信機２に搭載される本発明の実施例１のＨＤＭＩ出力時の解像度切換え手段の構成を示す。
図２おいて、ＨＤＭＩ出力時の解像度切換え手段は、制御部２０、記憶部２１、ＯＳＤ処理部２２、受信部２３、信号処理部２４、画像モニタ部２５、音声モニタ部２６、キー入力部２７、入力信号インターフェイス２８を備えており、入力信号インターフェイス２８を介して、外部接続されたＤＶＤ装置２９からＨＤＭＩ信号を取得する。
【００１５】
受信部２３で受信された信号は、信号処理部２４で信号処理されて画像モニタ部２５及び音声モニタ部２６に出力される。制御部２０は、信号処理部２４からの信号を入力し、信号処理部２４と、画像モニタ部２５及び音声モニタ部２６の動作を制御する。また、制御部２０は、キー入力部２７からの設定信号を入力し、ＯＳＤ処理部２２、入力信号インターフェイス２８及び記憶部２５との間で信号の入出力を行って必要な制御処理を行う。
【００１６】
入力信号インターフェイス２８は、コンポジット映像信号端子、音声信号端子、コンポーネント映像信号端子、ＨＤＭＩ信号端子、ＤＶＩ（Digital Visual Interface）信号端子を有しており、ＨＤＭＩ信号端子を介して外部接続されたＤＶＤ機器からの情報を取得する。制御部２０は、キー入力部２７から入力された設定信号の設定条件にしたがって選択された解像度情報を記憶部２１内のＥＤＩＤといわれる記憶領域に予め格納しておき、前記外部接続されたＤＶＤ機器は、ＥＤＩＤといわれる記憶領域に格納された対応する解像度情報に基づいて、入力信号インターフェイス２８のＨＤＭＩ信号端子を介して、ＨＤＭＩ信号を入力する。
【００１７】
記憶部２１内のＥＤＩＤには、入力信号インターフェイス２８を介して接続された特定の解像度情報のみが格納されるため、受信信号の解像度切換えを行う際に、記憶部２１内のＥＤＩＤに格納された特定のＤＶＤに対応した特定の解像度への切換えが可能となる。
【００１８】
なお、図２に示されたＨＤＭＩ出力時の解像度切換え手段のうち、制御部２０及びＯＳＤ処理部２２は、図１のテレビ受像機２のＣＰＵ１０及びＯＳＤコントローラ１２に対応し、信号処理部２４、画像モニタ部２５、及び音声モニタ２６は、図１のテレビ受像機２の映像処理部８及び表示部９に対応している。また、記憶部２１は、図１のテレビ受像機２のＥＤＩＤ１１を含む記憶部に対応している。
【００１９】
以上の解像度切換え手段の各対応した構成部分は、テレビ受像機２の各構成部と共用の手段を用いても良いし、テレビ受像機２の各構成部分と別体の装置として構成することも可能である。
【００２０】
図３に、本発明の実施例１のＨＤＭＩ出力時の解像度切換えの手順を示すフローチャートを示す。図３において、まず、ステップ１０１において、解像度を切換えたいという状況が発生した場合に、ステップ１０２において、キー入力部２７の操作により設定信号を入力して、テレビ受像機２側の画像モニタ部２５に解像度切換えメニューを表示させ、キー入力部２７の操作により、切換えたい解像度を選択する。
【００２１】
次いで、ステップ１０３において、テレビ受像機２側の解像度切換え手段の制御部２０は、キー入力部２７の操作により選択された切換えたい解像度に、記憶部２１のＥＤＩＤといわれる記憶領域内の解像度情報（ＥＤＩＤ情報）を書き換える処理を行う。次いで、ステップ１０４において、テレビ受像機２側の制御により、ＨＤＭＩ接続の再認証処理を実行する。次に、ステップ１０５において、テレビ受像機２側とＨＤＭＩ送信機１側で再認証を開始し、ステップ１０６において、再認証処理を実行する。
【００２２】
次に、ステップ１０７において、ＨＤＭＩ送信機１側がテレビ受像機２側のＥＤＩＤ情報を読み込んで、ステップ１０８において、ＨＤＭＩ送信機１側が、読み込んだ解像度情報により映像信号であるＨＤＭＩ信号を送信する。以上の手順により、ステップ１０９において、解像度の切換えを完了する。
【００２３】
なお、上記の実施例１では、解像度切換え手段はテレビ受像機２側に設けられるものとして説明したが、解像度切換え手段のＨＤＭＩ端子は、テレビ、モニタ、パソコン、音響機器等、ＡＶ機器全般に使用でき、本発明は、テレビ、モニタ、パソコン、音響機器等、ＡＶ機器全般を含む表示装置に適用が可能である。
また、上記の実施例１では、記録媒体としてＤＶＤの例が示されているが、記録媒体としては、画像情報に限らず、画像・音声データのようなＡＶデータやＰＣ（パソコン）データの様なデータを記録し、再生することが出来る記録再生装置（例えば、ハードディスクプレーヤやデジタルＶＴＲ（Ｄ−ＶＨＳ）等にも適用が可能である。
【図面の簡単な説明】
【００２４】
【図１】図１は、ＨＤＭＩ送信機と本発明の解像度切換え手段を備えたテレビ受信機の接続を示す概要図である。
【図２】図２は、本発明の実施例１のＨＤＭＩ出力時の解像度切換え手段の構成を示す図である。
【図３】図３は、本発明の実施例１のＨＤＭＩ出力時の解像度切換えの手順を示すフローチャートである。
【符号の説明】
【００２５】
１    ＨＤＭＩ送信機
２    テレビ受信機
３    ＨＤＭＩケーブル
４    ＨＤＭＩコネクタ
５    ＨＤＭＩコネクタ
６    映像処理部
７    ＣＰＵ
８    映像処理部
９    表示部
１０    ＣＰＵ
１１    ＥＤＩＤ
１２    ＯＳＤコントローラ
１３    デジタル信号転送
１４    解像度情報
２０    制御部
２１    記憶部
２２    ＯＳＤ処理部
２３    受信部
２４    信号処理部
２５    画像モニタ部
２６    音声モニタ部
２７    キー入力部
２８    入力信号インターフェイス
２９    ＤＶＤ
【図１】
0004557878.tif 000002
【図２】
0004557878.tif 000003
【図３】
0004557878.tif 000004